(57)【特許請求の範囲】
【請求項１】
模様、絵画（Ｄ1 ）、図形（Ｄ2 ）、写真（Ｄ3 ）等の構図情報（１１）に基づいてカーペット表面に描出する図柄を設定し（作図工程１２）、その設定された図柄に、マルチフイラメント糸、モノフイラメント糸、紡績糸、合撚糸、混繊糸、杢糸等のパイル糸の外観形態（Ｃ1 ）、ブライト、ダル等のパイル繊維の光沢（Ｃ2 ）、無彩色、有彩色、白、黒等の濃淡（Ｃ3 ）、色相、彩度、明度（Ｃ4 ）等の彩色情報（２１）に基づいて色彩を施し（配色工程２２）、その色彩の施された図柄を、カーペット表面を覆うパイルのタテ密度（ステッチゲージ）とヨコ密度（ニードルゲージ）とのパイル密度情報（３１）に基づいて１つの枡目が１個のパイルに該当する枡目（ＳＧ1 、ＳＧ2 、ＳＧ3 ）に応じて分割し（区画工程３２）、その分割された枡目（ＳＧ1 、ＳＧ2 、ＳＧ3 ）に、カットパイル（ＣＰ）とループパイル（ＬＰ）とのパイルの種別とパイル長（ＨＬ）のパイル形態情報（４１）に基づいてハイループパイル（ＨＬ）とローループパイル（ＬＬ）とハイカットパイル（ＨＣ）とローループパイル（ＬＣ）のパイル形態を設定してカーペット図柄見本を構成し（形態設定工程４２）、そのカーペット図柄見本を印刷基材（６１）の表面に描出（プリントアウト工程６２）するカーペット図柄見本作成法において、
そのパイル形態情報（４１）に基づいて枡目（ＳＧ1 、ＳＧ2 、ＳＧ3 ）に設定されたパイル形態を、レベルカットパイル面、レベルループパイル面、ハイカットパイルとローループパイルの交互するパイル面、ハイカットパイルとローカットパイルの交互するパイル面、ハイループパイルとローループパイルの交互するパイル面、または、ハイループパイルとローカットパイルが交互するパイル面から写し取った実写パイル（ＭＰ）の外観情報（５１）に基づいて実写パイル（ＭＰ）の外観に変換すること（外観変換工程５２）を特徴とするカーペット図柄見本作成法。
【請求項２】
カーペット図柄見本（６３）を、区画工程（３２）における密度情報（３１）のタテ密度とヨコ密度に応じたカーペット実物大に描写する前掲請求項１に記載のカーペット図柄見本作成法。
【発明の詳細な説明】
【０００１】
【発明の属する技術分野】
本発明は、表面に図柄の描出されたタフテッドカーペット、ウイルトンカーペット、アキスミンスターカーペット等の表面がパイルに覆われたカーペットに関するものである。
【０００２】
【従来の技術】
カーペットはインテリア商品として、その図柄が流行性に富み、その柄替えが頻繁に行われ、その都度デイスプレイが行われ、新規図柄が選定される。その１つの新規図柄が選定される過程では多数の図柄が用意されるが、その数が余りにも多く、それらの図柄を描出したカーペット見本を全て取り揃えるには多大な労力と経済的負担が強いられる。そこで画用紙に図柄を描写した図柄見本による予選が行われ、そこで選択された図柄をタフテッド機や織機において描出したカーペット実物見本を用意すると言う二段構えの方法が採られる。図柄見本は、絵の具を用いて手描きで作成されることもあるが、近時多くはコンピューター操作によって作成されている。
【０００３】
そのコンピューターには、絵画や写真等の構図情報と、構図情報に基づいて図柄を設定する作図工程と、色相、彩度、明度等の彩色情報と、彩色情報に基づいて図柄に色彩を施す配色工程と、カーペット表面を覆うパイルのタテ密度（ステッチゲージ）とヨコ密度（ニードルゲージ）とのパイル密度情報と、パイル密度情報に基づいて１つの枡目が１個のパイルに該当する枡目に応じて図柄を分割する区画工程と、ハイループパイルとローループパイルとハイカットパイルとローカットパイル等のパイル形態情報と、パイル形態情報に基づいて、パイル形態を上記枡目内に設定する形態設定工程と、形態設定工程を経た図柄を印刷基材の表面に描出するプリントアウトを格納したソフトが組み込まれている。
【０００４】
【発明が解決しようとする課題】
そのプリントアウトされた図柄見本では、手描きされたものと同様に模様の輪郭が連続した線で描かれ、無模様の地部分では絵筆で塗りつぶしたように一色に彩られている。しかし実物カーペットのパイル面は、密着し合った１個１個のパイルの先端で構成されており、その１個１個のパイルの先端の色彩や形態の差異によって点描されるようにして図柄が描出される。特にカーペットのパイル密度は、モケットやビロードに比べて極めて粗く、一般に縦横のパイルとパイルの間隔が４ｍｍ（１／６インチ）ないし２．５ｍｍ（１／１０インチ）であり、格パイルの先端が見分けられ、１個１個のパイルを数えることが出来、特にループパイルでは色彩やパイル長が同じであっても、その先端を構成する繊維の彎曲具合や撚山の傾き具合、繊維の光沢の変化の具合等の僅かな差異によって１個づつ見分けることが出来る。そのように、プリントアウトされる図柄見本と実物カーペットでは、描出される模様の輪郭線や色彩や光沢の相異性によって描出された図柄から受ける印象が異なるので、実物カーペットを想定して図柄見本を見ても、その想定は不確かなものであり、往々にして図柄の選定を誤り、パイル糸を染め直したり、カーペット見本を試作し直すと言った試行錯誤を余儀なくされる。
【０００５】
【発明の目的】
本発明は、コンピューター操作によって構成されプリントアウトされたものであっても、限りなく実物カーペットに近い印象を与える図柄見本を作成し、新規図柄の選定を効率的に行うことを目的とする。
【０００６】
【課題を解決するための手段】
本発明は、模様、絵画（Ｄ1 ）、図形（Ｄ2 ）、写真（Ｄ3 ）等の構図情報（１１）に基づいてカーペット表面に描出する図柄を設定し（作図工程１２）、その設定された図柄に、マルチフイラメント糸、モノフイラメント糸、紡績糸、合撚糸、混繊糸、杢糸等のパイル糸の外観形態（Ｃ1 ）、ブライト、ダル等のパイル繊維の光沢（Ｃ2 ）、無彩色、有彩色、白、黒等の濃淡（Ｃ3 ）、色相、彩度、明度（Ｃ4 ）等の彩色情報（２１）に基づいて色彩を施し（配色工程２２）、その色彩の施された図柄を、カーペット表面を覆うパイルのタテ密度（ステッチゲージ）とヨコ密度（ニードルゲージ）とのパイル密度情報（３１）に基づいて１つの枡目が１個のパイルに該当する枡目（ＳＧ1 、ＳＧ2 、ＳＧ3 ）に応じて分割し（区画工程３２）、その分割された枡目（ＳＧ1 、ＳＧ2 、ＳＧ3 ）に、カットパイル（ＣＰ）とループパイル（ＬＰ）とのパイルの種別とパイル長（ＨＬ）のパイル形態情報（４１）に基づいてハイループパイル（ＨＬ）とローループパイル（ＬＬ）とハイカットパイル（ＨＣ）とローループパイル（ＬＣ）のパイル形態を設定してカーペット図柄見本を構成し（形態設定工程４２）、そのカーペット図柄見本を印刷基材（６１）の表面に描出（プリントアウト工程６２）するカーペット図柄見本作成法において、
そのパイル形態情報（４１）に基づいて枡目（ＳＧ1 、ＳＧ2 、ＳＧ3 ）に設定されたパイル形態を、レベルカットパイル面、レベルループパイル面、ハイカットパイルとローループパイルの交互するパイル面、ハイカットパイルとローカットパイルの交互するパイル面、ハイループパイルとローループパイルの交互するパイル面、または、ハイループパイルとローカットパイルが交互するパイル面から写し取った実写パイル（ＭＰ）の外観情報（５１）に基づいて実写パイル（ＭＰ）の外観に変換すること（外観変換工程５２）を第１の特徴とする。
【０００７】
本発明の第２の特徴は、上記第１の特徴に加えて、カーペット図柄見本（６３）を、区画工程（３２）における密度情報（３１）のタテ密度とヨコ密度に応じたカーペット実物大に描写することにある。
【００１０】
【発明の実施の形態】
従来技術として説明の通り、絵画や写真等の構図情報と、構図情報に基づいて図柄を設定する作図工程と、色相や彩度等の彩色情報と、設定された図柄に彩色情報に基づいて色彩を施す配色工程と、カーペット表面を覆うパイルの密度情報と、設定された図柄をパイル密度情報に基づいて１つの枡目が１個のパイルに該当する枡目をもって分割する区画工程と、ハイカットパイルとローループパイル等のパイル形態情報と、分割された１個のパイルに該当する枡目にパイル形態情報に基づいてパイル形態を設定する形態設定工程と、形態設定工程を経た図柄を印刷基材の表面に描出するプリントアウト工程、および、これらの工程を処理する演算素子が組み込まれたコンピューターソフトは既に実用されており、本発明では、その既存のコンピューターソフトを利用することが出来る。
【００１１】
即ち、本発明では、その既存のコンピューターにおいて、実物カーペットの表面の一部として描出した実写パイルＭＰの外観情報５１に基づいて、分割された１個のパイルに該当する枡目内のパイル形態を実写パイルＭＰの外観に変換する。作図工程１２や彩色工程２２には、既存の電子複写装置やイメージスキャナーを利用することが出来る。図柄見本６３をプリントアウトする印刷基材６１には、紙、プラスチックシート、画布、その他の布帛を使用することが出来る。好ましい印刷基材６１は、エンボス処理されて細かい凹凸が表面に形成されているものである。そのように表面凹凸を有する印刷基材６１としては、エンボス処理された壁紙や、インキ吸収能を有する微細粒体を散布接着した聚楽壁紙を使用するとよい。
【００１２】
外観情報５１の実写パイルＭＰは、パイル布帛の表面を構成するパイルを手描きで１個づつ写し取ったものでもよい。好ましい実写パイルＭＰは、カーペットと同じパイル密度のパイル布帛、好ましくは既存のカーペットのパイル面にカメラを垂直に向けて撮影した実物のパイルの陰影である。そのようにして撮影すると、縦横に一定の間隔（パイル密度）、即ち、タフテッドカーペットではステッチゲージとニードルゲージ、ウイルトンカーペットでは緯糸打込密度と筬密度で並んだ無数のパイルが写し取られる。その無数のパイルの縦横の配列を、そのパイル布帛のパイル密度に応じて縦横に枡目状に分けて１個のパイルを象った実写パイルＭＰとし、区画工程３２と形態設定工程４２で設定された枡目の数に応じた纏まった多数のパイルの集合体としての纏まったパイル群として取り出し、一定の広がりを持つ多数の枡目ＳＧに多数の実写パイルＭＰを纏めて適用すると、隣合う実写パイルＭＰと実写パイルＭＰの間の陰影が極自然に連続するので好ましい。
【００１３】
１個の実写パイルＭＰは、縦横にそれぞれ８区分以上、好ましくは１２区分前後に細分した６４個以上、好ましくは１４４個前後の微細枡目としてパイル外観情報５１に取り込み、プリントアウト工程６２ではそれらの微細枡目の数に応じたドットで印刷基材６１の表面に描出する。
【００１４】
実写パイルＭＰの外観に変換された１個のパイルに該当する枡目と枡目の間に白抜きとなる隙間が出来るときは、隣合う実写パイルＭＰと実写パイルＭＰの中でパイル長や色彩の濃淡の差において隠蔽性の強い実写パイルＭＰ、即ち、パイル長が長いか濃い色彩の実写パイルの色彩で、ループパイルとカットパイルが隣合うときはカットパイルの実写パイルの色彩で、その隙間を塗り潰すとよい。
【００１５】
実写パイルＭＰとしては、レベルカットパイル面、レベルループパイル面、ハイカットパイルとローループパイルの交互するパイル面、ハイカットパイルとローカットパイルの交互するパイル面、ハイループパイルとローループパイルの交互するパイル面、ハイループパイルとローカットパイルが交互するパイル面、パイル形態やパイルの濃淡色彩、パイル長短差によってパイル面に描出された模様の輪郭線を含むパイル面等から写し取った実写パイルを用意し、それらの実写パイルＭＰを図柄に応じて外観変換工程に適用すると、同じ外観の実写パイルＭＰが連続せず、図柄見本６３の外観が実物カーペットの外観に一層近似したものとなる。
【００１６】
【発明の効果】
本発明によると、パイル先端の表面に現れる繊維の彎曲具合や傾き具合、繊維の捩じれ具合や捲縮具合、光沢や色調などにおいて部分的に細かく変化しており、カットパイルＣＰとループパイルＬＰとのパイル形態の差異を識別し得る一個一個の実写パイルＭＰによって点描されるように図柄が印刷基材６１の表面にプリントアウトされることになり、そのプリントアウトされた図柄見本６３は、限りなく実物カーペットに近似した外観を呈したものとなる。このため、新規図柄の選定のために、カーペット織機やタフテッド機、カーペット捺染装置などのカーペット製造装置を用いて実物カーペットを試作することは必ずしも必要ではなく、そのプリントアウトされた図柄見本を見、実物カーペットを想定して行うカーペットの新規図柄の選定において判断の誤りが少なく、その図柄見本を見て行った判断の誤りによって、新柄カーペットの試作においてパイル糸を染め直したり、カーペット見本を試作し直すと言った試行錯誤が回避される。
【００１７】
そして本発明によって得られる図柄見本６３は、実物カーペットに比して著しく薄く軽い紙や画布をベースとするので、嵩張らず軽く持ち運び易いので、遠方に主張しての新規カーペットのデイスプレイにも好都合である。
【図面の簡単な説明】
【図１】本発明に係るカーペット図柄見本作成工程の概念図であり、図柄見本の一部を円で囲んで拡大して図示している。
【符号の説明】
１１  構図情報
Ｄ1   絵画
Ｄ2   図形
Ｄ3   写真
１２  作図工程
２１  彩色情報
Ｃ1   パイル糸の外観形態
Ｃ2   パイル繊維の光沢
Ｃ3   濃淡
Ｃ4   明度
２２  配色工程
３１  パイル密度情報
ＳＧ1 ・ＳＧ2 ・ＳＧ3 枡目
３２  区画工程
４１  パイル形態情報
ＨＬ  ハイループパイル
ＬＬ  ローループパイル
ＨＣ  ハイカットパイル
ＬＣ  ローループパイル
４２  形態設定工程
５１  パイル外観情報
ＣＰ  カットパイル
ＬＰ  ループパイル
ＭＰ  実写パイル
５２  パイル外観変換工程
６１  印刷基材
６２  プリントアウト工程
６３  カーペット図柄見本
７０  コンピューター
【図１】
0003952134.tif 000002